(57)【要約】【課題】静電噴霧器（20）を備えた空気調和装置において、空気調和装置の運転停止時に静電噴霧器（20）だけが起動しないようにする。【解決手段】室内機（10）のケーシング（11）に静電噴霧器（20）を備えた空気調和装置において、静電噴霧器（20）を、噴霧溶液を貯留するタンク（21）と、タンク（21）に連通するとともに噴霧溶液を霧化して噴霧するためのノズルとを備えた構成にするとともに、少なくともノズルの先端を室内機（10）の空気通路（17）内に配置して、タンク（21）内の噴霧溶液がノズルの先端に向かって負圧吸引されるように構成する。【選択図】図１
2008232568.tif 000002
【特許請求の範囲】
【請求項１】
室内機（10）のケーシング（11）に静電噴霧器（20）を備えた空気調和装置であって、
上記静電噴霧器（20）は、噴霧溶液を貯留するタンク（21）と、タンク（21）に連通するとともに上記噴霧溶液を霧化して噴霧するための噴霧ノズル（22）とを備え、
少なくとも上記噴霧ノズル（22）の先端が上記室内機（10）の空気通路（17）内に配置されて、上記タンク（21）内の噴霧溶液が噴霧ノズル（22）の先端に向かって負圧吸引されるように構成されていることを特徴とする空気調和装置。
【請求項２】
請求項１において、
上記室内機（10）の空気通路（17）が、空気吸込通路（18）と空気吹出通路（19）とを備え、
上記静電噴霧器（20）の噴霧ノズル（22）の先端が、上記空気吹出通路（19）に配置されていることを特徴とする空気調和装置。
【請求項３】
請求項２において、
上記空気吹出通路（19）が、主空気通路（19a）と、該主空気通路（19a）から分岐した副空気通路（19b）とを備え、
上記静電噴霧器（20）の噴霧ノズル（22）の先端が、上記副空気通路（19b）に配置されていることを特徴とする空気調和装置。
【請求項４】
請求項２において、
上記空気吹出通路（19）が、主空気通路（19a）と、該主空気通路（19a）とは別に設けられて送風機（19c）が設置された副空気通路（19b）とを備え、
上記静電噴霧器（20）の噴霧ノズル（22）の先端が、上記副空気通路（19b）に配置されていることを特徴とする空気調和装置。
【請求項５】
請求項２において、
上記空気吹出通路（19）が、主空気通路（19a）と、上記ケーシング（11）の外部で該主空気通路（19a）と接続された副空気通路（19b）とを備え、
上記静電噴霧器（20）の噴霧ノズル（22）の先端が、上記副空気通路（19b）に配置されていることを特徴とする空気調和装置。
【請求項６】
請求項１において、
上記室内機（10）の空気通路（17）が、空気吹出通路（19）と空気吸込通路（18）とを備え、
上記静電噴霧器（20）の噴霧ノズル（22）の先端が、上記空気吸込通路（18）に配置されていることを特徴とする空気調和装置。
【請求項７】
請求項１から６の何れか１つにおいて、
上記静電噴霧器（20）の噴霧ノズル（22）が、空気通路（17）における空気の流れ方向に対して直交するように配置されていることを特徴とする空気調和装置。
【請求項８】
請求項１から６の何れか１つにおいて、
上記静電噴霧器（20）の噴霧ノズル（22）が、空気通路（17）における空気の流れ方向に対して傾斜するように配置されていることを特徴とする空気調和装置。
【発明の詳細な説明】
【技術分野】
【０００１】
本発明は、空気調和装置に関し、特に人体に対して有用な物質などの噴霧溶液を噴霧する静電噴霧器を備えた空気調和装置に関するものである。
【背景技術】
【０００２】
従来、空気調和装置の室内機に静電噴霧器を設けたものとして、特許文献１に記載のものを挙げることができる。この空気調和装置では、空気吹出口の近傍に静電噴霧器が配置されている。この静電噴霧器は、水に電圧を印加することで静電ミストにして室内へ吹き出し、室内の臭気成分を処理するのに用いられている。
【特許文献１】特開２００５−２８２８７３号公報
【発明の開示】
【発明が解決しようとする課題】
【０００３】
しかし、特許文献１の装置では空気調和装置の運転とは関係なく静電噴霧器の動作が可能であるため、空気調和装置の運転が停止しているときに静電噴霧器だけが動作するおそれがある。そして、その場合には、静電ミストにより空気調和装置のケーシング内に結露が生じてしまい、水滴が室内に滴下したり、ケーシングやその内部の機器類が錆びたりするおそれがある。
【０００４】
本発明は、かかる点に鑑みてなされたものであり、その目的は、静電噴霧器を備えた空気調和装置において、空気調和装置の運転停止時に静電噴霧器だけが起動しないようにすることである。
【課題を解決するための手段】
【０００５】
第１の発明は、室内機（10）のケーシング（11）に静電噴霧器（20）を備えた空気調和装置を前提としている。
【０００６】
そして、この空気調和装置は、上記静電噴霧器（20）が、噴霧溶液を貯留するタンク（21）と、タンク（21）に連通するとともに上記噴霧溶液を霧化して噴霧するための噴霧ノズル（22）とを備え、少なくとも上記噴霧ノズル（22）の先端が上記室内機（10）の空気通路（17）内に配置されて、上記タンク（21）内の噴霧溶液が噴霧ノズル（22）の先端に向かって負圧吸引されるように構成されていることを特徴としている。
【０００７】
この第１の発明では、空気調和装置の運転中に静電噴霧器（20）に通電すると、噴霧溶液が噴霧される。噴霧された霧状の噴霧溶液は室内機（10）の空気通路（17）を流れる空気に乗って室内へ供給される。このとき、噴霧ノズル（22）の先端には空気通路（17）の気流によって負圧が生じている。したがって、噴霧溶液がタンク（21）から噴霧ノズル（22）の先端に向かって連続的に吸い出され、噴霧溶液の噴霧が連続して行われる。逆に、空気通路（17）を空気が流れていないときは噴霧ノズル（22）の先端に負圧が生じないため、噴霧溶液が噴霧ノズル（22）に供給されない。そのため、静電噴霧器（20）に電圧を印加しても噴霧溶液は噴霧されない。
【０００８】
第２の発明は、第１の発明において、上記室内機（10）の空気通路（17）が、空気吹出通路（19）と空気吸込通路（18）とを備え、上記静電噴霧器（20）の噴霧ノズル（22）の先端が、上記空気吹出通路（19）に配置されていることを特徴としている。
【０００９】
この第２の発明では、空気調和装置の運転中は、空気吹出通路（19）を流れる空気により静電噴霧器（20）の噴霧ノズル（22）の先端に負圧が生じ、噴霧溶液が連続して噴霧される。空気調和装置が停止すると、噴霧ノズル（22）の先端に負圧が生じないので、噴霧溶液の噴霧が停止する。
【００１０】
第３の発明は、第２の発明において、上記空気吹出通路（19）が、主空気通路（19a）と、該主空気通路（19a）から分岐した副空気通路（19b）とを備え、上記静電噴霧器（20）の噴霧ノズル（22）の先端が、上記副空気通路（19b）に配置されていることを特徴としている。
【００１１】
第４の発明は、第２の発明において、上記空気吹出通路（19）が、主空気通路（19a）と、該主空気通路（19a）とは別に設けられて送風機（19c）が設置された副空気通路（19b）とを備え、上記静電噴霧器（20）の噴霧ノズル（22）の先端が、上記副空気通路（19b）に配置されていることを特徴としている。
【００１２】
第５の発明は、第２の発明において、上記空気吹出通路（19）が、主空気通路（19a）と、上記ケーシング（11）の外部で該主空気通路（19a）と接続された副空気通路（19b）とを備え、上記静電噴霧器（20）の噴霧ノズル（22）の先端が、上記副空気通路（19b）に配置されていることを特徴としている。
【００１３】
この第３〜第５の発明では、空気調和装置の運転中は、副空気通路（19b）を流れる空気により静電噴霧器（20）の噴霧ノズル（22）の先端に負圧が生じ、噴霧溶液が連続して噴霧される。空気調和装置が停止すると、噴霧ノズル（22）の先端に負圧が生じないので、噴霧溶液の噴霧が停止する。
【００１４】
第６の発明は、第１の発明において、上記室内機（10）の空気通路（17）が、空気吹出通路（19）と空気吸込通路（18）とを備え、上記静電噴霧器（20）の噴霧ノズル（22）の先端が、上記空気吸込通路（18）に配置されていることを特徴としている。
【００１５】
この第６の発明では、空気調和装置の運転中は、空気吸込通路（18）を流れる空気により静電噴霧器（20）の噴霧ノズル（22）の先端に負圧が生じ、噴霧溶液が連続して噴霧される。空気調和装置が停止すると、噴霧ノズル（22）の先端に負圧が生じないので、噴霧溶液の噴霧が停止する。
【００１６】
第７の発明は、第１から第６の発明の何れか１つにおいて、上記静電噴霧器（20）の噴霧ノズル（22）が、空気通路（17）における空気の流れ方向に対して直交するように配置されていることを特徴としている。
【００１７】
この第７の発明では、空気調和装置の運転中は、空気の流れ方向に対して直交するように配置された噴霧ノズル（22）の先端に負圧が生じ、噴霧溶液が連続して噴霧される。空気調和装置が停止すると、噴霧ノズル（22）の先端に負圧が生じないので、噴霧溶液の噴霧が停止する。
【００１８】
第８の発明は、第１から第６の発明の何れか１つにおいて、上記静電噴霧器（20）の噴霧ノズル（22）が、空気通路（17）における空気の流れ方向に対して傾斜するように配置されていることを特徴としている。
【００１９】
この第８の発明では、空気調和装置の運転中は、空気の流れ方向に対して傾斜するように配置された噴霧ノズル（22）の先端に負圧が生じ、噴霧溶液が連続して噴霧される。空気調和装置が停止すると、噴霧ノズル（22）の先端に負圧が生じないので、噴霧溶液の噴霧が停止する。
【発明の効果】
【００２０】
本発明によれば、少なくとも上記噴霧ノズル（22）の先端が上記室内機（10）の空気通路（17）内に位置するように静電噴霧器（20）を配置して、上記タンク（21）内の噴霧溶液が噴霧ノズル（22）の先端に向かって負圧吸引されるように構成しているので、空気通路（17）を空気が流れているときに静電噴霧器（20）に電圧を印加すると、噴霧溶液を連続して噴霧できる。一方、空気通路（17）を空気が流れていないときは噴霧ノズル（22）の先端に負圧が生じないために噴霧溶液が噴霧ノズル（22）の先端まで供給されないので、静電噴霧器（20）に電圧を印加しても噴霧溶液が噴霧されることはない。したがって、従来のものとは違って、空気調和装置の運転が停止しているときに静電噴霧器（20）だけが動作するおそれがなく、静電ミストにより空気調和装置のケーシング（11）内に結露が生じて水滴が室内に滴下したり、ケーシング（11）やその内部の機器類が錆びたりすることを防止できる。
【００２１】
上記第２の発明によれば、空気調和装置の運転中は、空気吹出通路（19）を流れる空気により静電噴霧器（20）の噴霧ノズル（22）の先端に負圧が生じ、噴霧溶液が連続して噴霧される。空気調和装置が停止すると、噴霧ノズル（22）の先端に負圧が生じないので、噴霧溶液の噴霧が停止する。したがって、第１の発明と同様に、空気調和装置の運転が停止しているときに静電噴霧器（20）だけが動作するおそれがなく、静電ミストにより空気調和装置のケーシング（11）内に結露が生じて水滴が室内に滴下したり、ケーシング（11）やその内部の機器類が錆びたりすることを防止できる。
【００２２】
上記第３〜第５の発明によれば、空気調和装置の運転中は、副空気通路（19b）を流れる空気により静電噴霧器（20）の噴霧ノズル（22）の先端に負圧が生じ、噴霧溶液が連続して噴霧される。空気調和装置が停止すると、噴霧ノズル（22）の先端に負圧が生じないので、噴霧溶液の噴霧が停止する。したがって、第１の発明と同様に、空気調和装置の運転が停止しているときに静電噴霧器（20）だけが動作するおそれがなく、静電ミストにより空気調和装置のケーシング（11）内に結露が生じて水滴が室内に滴下したり、ケーシング（11）やその内部の機器類が錆びたりすることを防止できる。
【００２３】
上記第６の発明によれば、空気調和装置の運転中は、空気吸込通路（18）を流れる空気により静電噴霧器（20）の噴霧ノズル（22）の先端に負圧が生じ、噴霧溶液が連続して噴霧される。空気調和装置が停止すると、噴霧ノズル（22）の先端に負圧が生じないので、噴霧溶液の噴霧が停止する。したがって、第１の発明と同様に、空気調和装置の運転が停止しているときに静電噴霧器（20）だけが動作するおそれがなく、静電ミストにより空気調和装置のケーシング（11）内に結露が生じて水滴が室内に滴下したり、ケーシング（11）やその内部の機器類が錆びたりすることを防止できる。
【００２４】
上記第７，第８の発明によれば、静電噴霧器（20）の噴霧ノズル（22）を、空気通路（17）における空気の流れ方向に対して直交するように配置した場合や、空気の流れ方向に対して傾斜するように配置した場合のいずれにおいても、空気調和装置の運転中には噴霧溶液が噴霧され、空気調和装置の停止中には噴霧も停止する。したがって、第１の発明と同様に、空気調和装置の運転が停止しているときに静電噴霧器（20）だけが動作するおそれがなく、静電ミストにより空気調和装置のケーシング（11）内に結露が生じて水滴が室内に滴下したり、ケーシング（11）やその内部の機器類が錆びたりすることを防止できる。また、空気調和装置の装置構成に応じて静電噴霧器（20）を適切な状態で配置できる。
【発明を実施するための最良の形態】
【００２５】
以下、本発明の実施形態を図面に基づいて詳細に説明する。
【００２６】
本発明の実施形態は、室内機と室外機とが連絡配管で接続されるセパレート型の空気調和装置に関するものであって、図１には室内機（10）の断面構造を示している。この空気調和装置は、室内機（10）のケーシング（11）内に静電噴霧器（20）を備えている。
【００２７】
この室内機（10）は、壁掛け型に構成されている。上記ケーシング（11）は、図の左側に位置する前面プレート（12）の上部に空気吸込口（13）を備え、前面プレート（12）の下部に空気吹出口（14）を備えている。このケーシング（11）内には、空気吸込口（13）の近傍に室内熱交換器（15）が配置されている。また、ケーシング（11）内の中央部にはクロスフローファン（16）が設けられている。
【００２８】
上記室内熱交換器（15）は、図示していないが、室外機に設けられている圧縮機、室外熱交換器及び膨張弁などの機器と、冷媒配管で接続されている。上記圧縮機、室外熱交換器、膨張弁、及び室内熱交換器（15）などの機器を冷媒配管で接続することにより冷媒回路が構成されており、この冷媒回路は、該回路内での冷媒の循環方向を可逆するための切換弁（図示せず）を備えている。そして、冷媒の循環方向を切り換えることにより、冷房運転と暖房運転とが可能になっている。
【００２９】
上記ケーシング（11）内には、空気吸込口（13）から空気吹出口（14）に連通する空気通路（17）が形成されている。この空気通路（17）は、クロスフローファン（16）を挟んで空気吸込口（13）側に位置する空気吸込通路（18）と空気吹出口（14）側に位置する空気吹出通路（19）により構成されている。
【００３０】
図２には、静電噴霧器（20）の概略構造を示している。この静電噴霧器（20）は、噴霧溶液を貯留するタンク（21）と、このタンク（21）内の空間に連通するように設けられた噴霧ノズル（22）と、この噴霧ノズル（22）に設けられている電極（図示していないノズル電極及び対向電極で、ノズル電極がプラス極側である）に高電圧を印加する電源（23）とを備えている。噴霧ノズル（22）の電極に電圧を印加することにより、噴霧溶液が噴霧ノズル（22）の先端で霧化する。なお、静電噴霧器（20）自体の構造は従来より知られたものであるため、ここでは具体構成についての説明は省略する。また、噴霧溶液としては、人体に有益な物質の水溶液、例えばアミノ酸の一種であるテアニンの水溶液等が挙げられる。
【００３１】
この静電噴霧器（20）は、上記室内機（10）のケーシング（11）内で、噴霧ノズル（22）の先端が空気吹出通路（19）（空気通路（17））内に位置するように配置されている。静電噴霧器（20）をこのように配置すると、クロスフローファン（16）を起動することにより空気吹出通路（19）を空気が流れるときに、噴霧ノズル（22）の先端に負圧が生じる。そのため、クロスフローファン（16）の起動中は常に噴霧溶液がタンク（21）内から噴霧ノズル（22）の先端に向かって負圧で吸引されることになる。
【００３２】
なお、図示の例では、噴霧ノズル（22）が空気通路（17）における空気の流れ方向に対して直交するように配置されているが、噴霧ノズル（22）は、空気通路（17）における空気の流れ方向に対して傾斜するように配置してもよい。
【００３３】
−運転動作−
空気調和装置の運転中は、冷媒回路内を冷媒が循環するとともにクロスフローファン（16）が作動して、空気吸込口（13）から室内空気が吸い込まれて室内熱交換器（15）を通過する。室内空気は、この室内熱交換器（15）を通過する際に、冷房運転中は冷却され、暖房運転中は加熱される。そして、冷却または加熱された室内空気が空気吸込通路（18）からクロスフローファン（16）を通過して空気吹出通路（19）を流れ、空気吹出口（14）から室内へ吹き出される。
【００３４】
空気調和装置の運転中は静電噴霧器（20）の電源（23）もオンになっている。このため、ノズル電極と対向電極との間に電位差が与えられる。その結果、噴霧ノズル（22）の先端近傍に電界が形成される。そして、噴霧ノズル（22）の先端の噴霧溶液が分極化され、噴霧ノズル（22）の先端の気液界面近傍にプラスの電荷が集まる。噴霧ノズル（22）の先端では、気液界面が引き延ばされて円錐状となり、円錐状となった気液界面の頂部から一部の噴霧溶液が引きちぎられるようにして液滴化する。以上のようにして、噴霧ノズル（22）の先端からは電荷を帯びた噴霧溶液が噴射される。この噴霧溶液は、噴霧ノズル（22）の前方へ吹き出されて、空気吹出通路（19）を流れる空気に乗って室内へ供給される。
【００３５】
その際、空気吹出通路（19）を空気が連続して流れることにより、噴霧ノズル（22）の先端には常に負圧が生じた状態となる。そのため、タンク（21）内の噴霧溶液が常に噴霧ノズル（22）の先端に負圧で吸引される。したがって、噴霧溶液が噴霧ノズル（22）の先端で霧化して、気流とともに連続的に室内へ噴霧される。
【００３６】
一方、空気調和装置の停止中は、噴霧ノズル（22）の先端に負圧が生じないため、タンク（21）内の噴霧溶液が噴霧ノズル（22）の先端へ供給されない。したがって、このときに静電噴霧器（20）に電圧が印加されたとしても、静電噴霧器（20）での噴霧が行われることはない。
【００３７】
−実施形態の効果−
この実施形態によれば、噴霧ノズル（22）の先端が空気吹出通路（19）内に位置するように静電噴霧器（20）を室内機（10）のケーシング（11）内に配置することにより、空気調和装置の運転中の気流による負圧を利用して噴霧物質を連続的に室内へ供給するようにしている。そして、この実施形態では空気調和装置の運転が停止すると噴霧ノズル（22）における負圧吸引の作用が停止するため、噴霧ノズル（22）の先端まで噴霧溶液が供給されず、電圧を印加しても噴霧が行われない。
【００３８】
このように、本実施形態では空気調和装置の運転に静電噴霧器（20）の噴霧動作が連動するようにしているので、空気調和装置の運転が停止したときに静電噴霧器（20）だけが動作するおそれはない。そのため、静電ミストにより空気調和装置のケーシング（11）内に結露が生じるおそれはなく、水滴が室内に滴下したり、ケーシング（11）や内部の機器類が錆びたりすることもない。
【００３９】
−実施形態の変形例−
（第１変形例）
図３に示すように、上記室内機（10）には、空気吹出通路（19）として、主空気通路（19a）と、該主空気通路（19a）から分岐した副空気通路（19b）とを設けてもよい。そして、噴霧ノズル（22）の先端を、上記副空気通路（19b）に配置してもよい。このようにしても、図１の例と同様に気流による噴霧ノズル（22）の先端部の負圧を利用して、噴霧溶液を室内へ連続的に供給できる。また、空気調和装置の運転時にだけ噴霧が行われるから、ケーシング（11）内への水滴の付着に伴う問題も生じない。
【００４０】
（第２変形例）
図４に示すように、上記室内機（10）には、空気吹出通路（19）として、主空気通路（19a）と、該主空気通路（19a）とは別に設けられて送風機（19c）が設置された副空気通路（19b）とを設けて、クロスフローファン（16）と上記送風機（19c）とを連動させるようにしてもよい。そして、噴霧ノズル（22）の先端を、上記副空気通路（19b）に配置してもよい。このようにしても、図１の例と同様に気流による噴霧ノズル（22）の先端部の負圧を利用して、噴霧溶液を室内へ連続的に供給できる。また、空気調和装置の運転時にだけ噴霧が行われるから、ケーシング（11）内への水滴の付着に伴う問題も生じない。
【００４１】
（第３変形例）
図５に示すように、上記室内機（10）には、空気吹出通路（19）として、主空気通路（19a）と、上記ケーシング（11）の外部で該主空気通路（19a）と接続された副空気通路（19b）とを設けてもよい。そして、噴霧ノズル（22）の先端を、上記副空気通路（19b）に配置してもよい。このようにしても、図１の例と同様に気流による噴霧ノズル（22）の先端部の負圧を利用して、噴霧溶液を室内へ連続的に供給できる。また、空気調和装置の運転時にだけ噴霧が行われるから、ケーシング（11）内への水滴の付着に伴う問題も生じない。
【００４２】
（第４変形例）
図６に示すように、静電噴霧器（20）は、空気吹出通路（19）側ではなく、空気吸込通路（18）側に配置してもよい。図６の例では、噴霧ノズル（22）の先端が空気吸込通路（18）に位置するように配置している。このようにしても、図１の例と同様に気流による噴霧ノズル（22）の先端部の負圧を利用して、噴霧溶液を室内へ連続的に供給できる。また、空気調和装置の運転時にだけ噴霧が行われるから、ケーシング（11）内への水滴の付着に伴う問題も生じない。
【００４３】
《その他の実施形態》
上記実施形態については、以下のような構成としてもよい。
【００４４】
例えば、上記実施形態では噴霧ノズル（22）の先端だけが室内機（10）の空気通路（17）内に位置するように静電噴霧器（20）をケーシング（11）内に配置しているが、少なくとも噴霧ノズル（22）の先端が空気通路（17）内に位置していれば、静電噴霧器（20）の配置は適宜変更してもよい。
【００４５】
また、噴霧溶液は、実施形態で挙げたものに限らず、γ-アミノ酪酸（GABA）の水溶液を用いるなど、適宜変更してもよい。
【００４６】
なお、以上の実施形態は、本質的に好ましい例示であって、本発明、その適用物、あるいはその用途の範囲を制限することを意図するものではない。
【産業上の利用可能性】
【００４７】
以上説明したように、本発明は、人体に対して有用な物質などの噴霧溶液を噴霧する静電噴霧器を備えた空気調和装置について有用である。
【図面の簡単な説明】
【００４８】
【図１】本発明の実施形態に係る空気調和装置の室内機（10）を示す断面構造図である。
【図２】静電噴霧器の概略構造図である。
【図３】第１変形例に係る空気調和装置の室内機を示す断面構造図である。
【図４】第２変形例に係る空気調和装置の室内機を示す断面構造図である。
【図５】第３変形例に係る空気調和装置の室内機を示す断面構造図である。
【図６】第４変形例に係る空気調和装置の室内機を示す断面構造図である。
【符号の説明】
【００４９】
10  室内機
11  ケーシング
20  静電噴霧器
21  タンク
22  噴霧ノズル
17  空気通路
18  空気吸込通路
19  空気吹出通路
19a 主空気通路
19b 副空気通路
19c 送風機
【図１】
2008232568.tif 000003
【図２】
2008232568.tif 000004
【図３】
2008232568.tif 000005
【図４】
2008232568.tif 000006
【図５】
2008232568.tif 000007
【図６】
2008232568.tif 000008